(57)【要約】  【課題】  短時間コースを選択するだけで自動的に短時間コースでの洗濯、或いは運転時間を延長した洗濯動作を実行することができる全自動洗濯機を提供する。  【解決手段】  駆動モータでパルセータを回転させて洗濯物を撹拌するものであって、短時間コース選択スイッチの操作により所定の短時間で洗い、すすぎ並びに脱水の一連の動作を実行する全自動洗濯機において、短時間コース選択スイッチの操作に伴って水槽内の洗濯物がパルセータの回転で撹拌されると駆動モータにかかる負荷より洗濯物の量を検知する布量検知手段と、検知した布量が短時間コースでの最大布量であるか否かを検出する検出手段と、該検出手段が洗濯物の量が最大布量以上と判断したとき運転時間を延長する運転時間延長手段とを設け、検出手段が以下と判断したとき所定の短時間コースの洗濯動作を実行する全自動洗濯機とする。  【選択図】      図５
2005118602.tif 000002
【特許請求の範囲】
【請求項１】
駆動回路の制御で駆動される駆動モータで水槽の底面に設けたパルセータを回転させることにより洗濯物を撹拌するものであって、短時間コース選択スイッチの操作により所定の短時間で洗い、すすぎ並びに脱水の一連の動作を実行する全自動洗濯機において、上記短時間コース選択スイッチの操作に伴って水槽内の洗濯物が上記パルセータの回転で撹拌されると上記駆動モータにかかる負荷より洗濯物の量を検知する布量検知手段と、この布量検知手段で検知した布量が短時間コースでの最大布量であるか否かを検出する検出手段と、該検出手段が投入された洗濯物の量が最大布量以上と判断したとき運転時間を延長する運転時間延長手段とを設け、上記検出手段が以下と判断したとき所定の短時間コースの洗濯動作を実行する構成としたことを特徴とする全自動洗濯機。
【請求項２】
上記検出手段が洗濯物の量が最大布量以下と判断すると、その布量に対応した洗剤量を表示部に表示し、又上記検出手段が洗濯物の量が最大布量以上と判断すると、延長された時間及び洗剤量を表示部に表示する構成としたことを特徴とする請求項２に記載の全自動洗濯機。
【発明の詳細な説明】
【技術分野】
【０００１】
本発明は全自動洗濯機の改良発明に関するものである。
【背景技術】
【０００２】
一般に全自動洗濯機の場合、水道水の給水量の変化に対応して動作することが望まれているわけであるが、その一例として、本件出願人の出願に係る特願平８−１７７６５６号に開示されているものがある。この出願に係る全自動洗濯機では、特に請求項１１に記載されているように、水道水の給水量能力を検知する給水量検知手段を備え、検知された給水量能力に適合した運転時間表示に変更したり、運転時間が変更されている旨の表示又は報知をしたりする構造となっている。
【発明の開示】
【発明が解決しようとする課題】
【０００３】
しかし乍ら、上記全自動洗濯機では、水道水の給水量能力の差が大きく運転時間の差となって現れるため、急いでいる使用者には、その数分間の差が非常に困ったものであり使い勝手が悪いものとなっていた。又、給水量の少ない場合、水位の低いときから水流を強くすると水槽が外槽に当たるとの問題点も有していた。
【課題を解決するための手段】
【０００４】
本発明は上述した従来の全自動洗濯機における問題点に着眼して発明されたものであり、請求項１に記載された発明の全自動洗濯機は、駆動回路の制御で駆動される駆動モータで水槽の底面に設けたパルセータを回転させることにより洗濯物を撹拌するものであって、短時間コース選択スイッチの操作により所定の短時間で洗い、すすぎ並びに脱水の一連の動作を実行する全自動洗濯機において、上記短時間コース選択スイッチの操作に伴って水槽内の洗濯物が上記パルセータの回転で撹拌されると上記駆動モータにかかる負荷より洗濯物の量を検知する布量検知手段と、この布量検知手段で検知した布量が短時間コースでの最大布量であるか否かを検出する検出手段と、該検出手段が投入された洗濯物の量が最大布量以上と判断したとき運転時間を延長する運転時間延長手段とを設け、上記検出手段が以下と判断したとき所定の短時間コースの洗濯動作を実行する構成としたことを特徴としている。
【０００５】
この構成によれば、短時間コースを選択すれば、このコースで洗濯できる洗濯物の量であるか否かを判断し、もしできる量であれば短時間コースの洗濯を実行し、又、できる量より多い量であれば運転時間を延長して洗濯動作を実行する。その結果、短時間コースを選択するだけで自動的に短時間コースでの洗濯、或いは運転時間を延長した洗濯動作を実行することができる。
【０００６】
また、請求項２に記載された発明の全自動洗濯機は、請求項１に記載の全自動洗濯機において、上記検出手段が洗濯物の量が最大布量以下と判断すると、その布量に対応した洗剤量を表示部に表示し、又上記検出手段が洗濯物の量が最大布量以上と判断すると、延長された時間及び洗剤量を表示部に表示する構成としたことを特徴としている。
【０００７】
この構成によれば、短時間コースを選択すれば、このコースで洗濯できる洗濯物の量であるか否かを判断し、もしできる量であれば、その量に適した洗剤量を表示するとともに短時間コースの洗濯を実行し、又、できる量より多い量であれば、その量に適した洗剤量を表示するとともにその量に対応した運転時間を延長して洗濯動作を実行する。その結果、短時間コースを選択するだけで自動的に短時間コースでの洗濯、或いは運転時間を延長した洗濯動作を実行することができる。しかも、洗濯物の量に適した洗剤量を表示し、使用者に投入すべき洗剤量を知らすことができる。
【発明の効果】
【０００８】
本発明は上述のように構成されるものであり、請求項１に記載された発明の全自動洗濯機は、駆動回路の制御で駆動される駆動モータで水槽の底面に設けたパルセータを回転させることにより洗濯物を撹拌するものであって、短時間コース選択スイッチの操作により所定の短時間で洗い、すすぎ並びに脱水の一連の動作を実行する全自動洗濯機において、上記短時間コース選択スイッチの操作に伴って水槽内の洗濯物が上記パルセータの回転で撹拌されると上記駆動モータにかかる負荷より洗濯物の量を検知する布量検知手段と、この布量検知手段で検知した布量が短時間コースでの最大布量であるか否かを検出する検出手段と、該検出手段が投入された洗濯物の量が最大布量以上と判断したとき運転時間を延長する運転時間延長手段とを設け、上記検出手段が以下と判断したとき所定の短時間コースの洗濯動作を実行する構成としている。
【０００９】
この発明によれば、短時間コースを選択するだけで自動的に短時間コースでの洗濯、或いは運転時間を延長した洗濯動作を実行することができる。
【００１０】
また、請求項２に記載された発明の全自動洗濯機は、請求項１に記載の全自動洗濯機において、上記検出手段が洗濯物の量が最大布量以下と判断すると、その布量に対応した洗剤量を表示部に表示し、又上記検出手段が洗濯物の量が最大布量以上と判断すると、延長された時間及び洗剤量を表示部に表示する構成とした構成である。
【００１１】
この発明によれば、短時間コースを選択するだけで自動的に短時間コースでの洗濯、或いは運転時間を延長した洗濯動作を実行することができる。しかも、洗濯物の量に適した洗剤量を表示し、使用者に投入すべき洗剤量を知らすことができる。
【発明を実施するための最良の形態】
【００１２】
以下、本発明の実施の形態を図に従って詳細に説明する。
【００１３】
［構成］
図１は、本発明の全自動洗濯機の実施の形態を示す概略構成図であり、図において、１は外槽、２はこの外槽１内に支持手段により弾性的に支持された水槽、３は洗濯槽と脱水槽を兼ねた洗濯兼脱水槽、４はパルセータ、５は駆動モータ、６はこの駆動モータ５の回転をプーリー、ベルトからなる伝達手段８を介して受け、上記パルセータ４のみの回転（低速回転）と、洗濯兼脱水槽３とパルセータ４の同時回転（高速回転）を選択的に実行させる減速切替機構、７はこの減速切換機構６を切り替える減速切換クラッチ、９は排水弁、１０は洗濯水の汚れを検知する汚れセンサー、１１は運転表示部、操作表示部、報知ブザー、制御回路等を含む制御部、１２は水槽２の水位を検知する水位センサー、１３は水道水の給水弁、１４は風呂水を給水する風呂水ポンプ、１５は蓋の開閉を検知する蓋スイッチである。
【００１４】
次に、本発明の全自動洗濯機における全体の回路構成を図２に従って説明する。なお、図２において、図１で説明したセンサーや負荷以外は制御部１１に含まれるものである。この図において、１６は制御部１１に搭載のマイクロコンピュータ（以下、マイコンという）であり、運転プログラムを書き込んだＲＯＭ１６ａ、データ書き込みメモリのＲＡＭ１６ｂ、中央演算処理回路のＣＰＵ１６ｃ、プログラムによってシーケンスを作るタイマ１６ｄ、入出力回路のＩ／Ｏ１６ｅで構成されている。そして、このマイコン１６は、入力回路１７、検知回路２５、表示回路２６及び駆動回路３２を介して各種スイッチ、センサー、運転表示部、駆動部に接続され全体を制御するようになっている。
【００１５】
入力回路１７は、バッファ等で構成される回路であり、電源をＯＮ，ＯＦＦする電源スイッチ１８、運転の開始と一時停止を行うスタートスイッチ１９、水位を設定する水位選択スイッチ２０、洗い、すすぎ或いは脱水の工程を選択する工程選択スイッチ２１、衣類や洗濯の種類を設定するコース洗濯スイッチ２２、水道水を使用しないで風呂水の残り湯の給水を選択する風呂水選択スイッチ２３、１０分（短時間）コース選択スイッチ３４、１０分（短時間）コースと延長コースの切り換えを行う１０分／延長切換スイッチ３６に接続され、上記マイコン１６の指令に従ってこれら各スイッチからの信号を上記入出力回路Ｉ／Ｏ１６ｅを通じてマイコン１６に供給するものである。
【００１６】
又、検知回路２５は、上記センサーや状態検知スイッチからの信号が入力される回路であり、高・中・低・少量等の水位を検知する水位センサー１２、洗濯物の布量を検知する布量検知回路２４、洗い・すすぎの際の洗濯水の汚れ度合いを検知する汚れセンサー１０蓋の開閉を検知する蓋スイッチ１５に接続され、上記マイコン１６の指令に従ってこれら各センサー、スイッチからの信号を上記入出力回路Ｉ／Ｏ１６ｅを通じてマイコン１６に供給するものである。
【００１７】
上記布量検知回路２４は、布量に適した水位に自動的に設定する回路であり、検知方式としてパルセータ４を回転した時の衣類との接触摩擦による駆動モータ５の回転数変化を検知してマイコン１６で比較演算することにより検知するものである。又、表示回路２６は、図３の上記運転表示部、操作表示部の各表示を行う表示素子を駆動するドライバー等にて構成する回路であり、水位表示部２７、工程表示部２８、コース表示部２９、風呂水表示部３０、運転時間表示部３１、水量に応じた洗剤量を示す洗剤量表示部３５、現在の設定における最大洗濯物量を表示する最大布量表示部３７に接続されており、上記マイコン１６の指令に従ってこれら各部を駆動するものである。
【００１８】
そして、上記水位表示部２７は、上記水位選択スイッチ２０の操作に対応した高・中・低・少量等の水位表示を行うものである。又、運転時間表示部３１は、電源スイッチ１８をＯＮした時、上記各選択スイッチ１９乃至２３で設定されている運転時間、スタートスイッチ１９で運転を開始した後の布量検知により自動的に設定された運転時間及び運転中における運転終了までの残り時間目安を表示するものである。
【００１９】
駆動回路３２は、各負荷の動作を制御するトライアックやその駆動を行う増幅器等で構成されるものであり、上記駆動モータ５、給水弁１３、排水弁９、減速切換クラッチ７及び風呂水ポンプ１４に接続され、上記マイコン１６の指令に従ってこれら各部を駆動するものである。
【００２０】
図３は本発明の全自動洗濯機の運転表示部、操作表示部を示す説明図であり、電源スイッチ１８、スタートスイッチ１９、水位選択スイッチ２０、工程選択スイッチ２１コース選択スイッチ２２、風呂水選択スイッチ２３よりなる操作部及び水位選択スイッチ２０の操作に対応した水位表示を高・中・低・少量等の表示で行う水位表示部２７、洗い・すすぎ・脱水工程の表示を行う工程表示部２８、標準・スピード・ウール・毛布のコース表示を行うコース表示部２９、風呂水による洗いのみ・洗い／すすぎの表示を行う風呂水表示部３０、電源スイッチ１８をＯＮした時、上記各選択スイッチ１９乃至２３で設定されている運転時間の表示、スタートスイッチ１９で運転を開始した後の布量検知により自動的に設定された運転時間の表示、運転中における運転終了までの残り時間目安の表示、運転時間の変更による延長・短縮の表示及び１０分運転中の表示等の各種表示を行う運転時間表示部３１、１０分コース選択スイッチ３４、水量に応じた洗剤量を示す洗剤量表示部３５、１０分コースと延長コースの切り換えを行う１０分／延長切換スイッチ３６、現在の設定における最大洗濯物量を表示する最大布量表示部３７よりなる表示部で構成されている。
【００２１】
［作用］
本発明は上述のように構成されるものであり、以下、その作用について図４に従って説明する。ステップＳ１において短時間運転の洗い若しくはすすぎを開始するとステップＳ２で給水を行い、ステップＳ３において給水量センサ３８で水道水の給水量能力を判断する。即ち、水道水の給水量を標準値と比較する。
【００２２】
この比較の結果、略等しい（普通）と判断されると、ステップＳ４に進んで駆動回路３２の制御に従って駆動モータ５を介してパルセータ４の回転数を徐々に高め、標準の徐々に強くなる水流による「標準なじませ運転」を行う。この「標準なじませ運転」を所定時間続行した後、「標準洗い（すすぎ）運転」を行う（ステップＳ９）。又、ステップＳ３で流量が少ない（少量）と判定されたときは、ステップＳ７で給水時間設定手段の動作に従って給水設定時間の延長を行い、この状態で上記駆動回路３２の制御に基づいて駆動モータ５を介してパルセータ４の回転数を制御し、「標準なじませ運転」に比べてゆっくりとした変化で水流が強くなる「給水延長設定なじませ運転」（ステップＳ８）を行う。
【００２３】
そして、この運転を所定時間実行した後、「給水量少量洗い（すすぎ）運転」を行う（ステップＳ１１）。又、上記ステップＳ３で流量が多量と判断されると、ステップＳ５において上記給水時間設定手段の動作に従って給水設定時間短縮を行い、この状態で上記駆動回路３２の制御に基づいて駆動モータ５を介してパルセータ４の回転数を制御し、「標準なじませ運転」に比べて急な変化で水流が強くなる「給水短縮設定なじませ運転」（ステップＳ６）を行う。そして、この運転を所定時間実行した後、「標準洗い（すすぎ）運転」を実行する（ステップＳ１０）。
【００２４】
図５は水量が非常に少ないことから洗濯を早く終わらせたい場合の動作フローを示している。この動作フローでは、先ず、洗濯物を投入した上で電源スイッチ１８及び１０分（短時間）コース選択スイッチ３４を順次ＯＮする（ステップＳ１、Ｓ２）と、このスイッチ３４のＯＮを示す信号が入力回路１７を通じてマイコン１６に入力され、これに伴ってＣＰＵ１６ｃの指令により表示回路２６に最大布量表示信号を出力する。すると、該表示回路２６は、図３の運転表示部、操作表示部の最大布量表示部３７に最大布量（本例では２．５Ｋｇ）を表示させる（ステップＳ３）。
【００２５】
この最大布量の表示がなされると、次いで駆動回路３２が動作して駆動モータ５を駆動し、パルセータ４を回転させながら布量検知回路２４の作用によって投入された布量が最大布量以下か否かを判断する（ステップＳ４）。そして、このステップＳ４で、投入された布量が最大布量以下と判断せれると、ステップはＳ５に移り、表示回路２６の作用によって洗剤量目安表示部３５に目安となる洗剤量を表示する（ステップＳ５）。その後、給水弁１３を開いて給水を始め、ステップＳ６の１０分コース運転を行う。
【００２６】
一方、上記ステップＳ４で最大布量以下でないと判断されると、図示しないブザーを駆動して延長報知音を発信させ（ステップＳ７）、次いで、表示回路２６が駆動して投入されている布量に応じた必要運転時間を運転時間表示部３１に表示させるとともに洗剤量目安表示部３５に目安となる洗剤量を表示する（ステップＳ８、Ｓ９）。そして、再度１０分コース洗濯スイッチ３４を押すことで給水弁１３を開いて給水を始め、ステップＳ１１の延長運転を行う。このとき、延長せずに洗濯量を減らして１０分で洗濯を終わらせたい場合には、上記ステップＳ９で電源スイッチ１８をＯＦＦし、洗濯物を最大布量以下に押さえて、再度ステップＳ１から始めると良い。
【００２７】
図５は水道水の水量が少ない場合排水中に給水を行う洗濯機において、洗い及びすすぎ工程中に布の偏りを均一にするとともに洗剤濃度の希釈能力を一定以上にする作用を実行させるタイムチャートを示している。この図に示すように、所定の水量が水槽２内に確保され、排水弁９及び給水弁１３が共にＯＦＦして駆動モータ５の駆動で撹拌動作が実行されている洗いの動作モードにおいて時間ｔ１になると、駆動回路３２の作動で排水弁９及び給水弁１３を共にＯＮして給水と排水を同時に開始させるとともに駆動モータ５の駆動を停止してパルセータ４による撹拌を中断させる。
【００２８】
その結果、徐々に水槽２内の水量が減少して行き、そして、タイマ１６ｄの時間カウントに従って所定時間が経過して時間ｔ２になると、駆動回路３２が再度作動して排水弁９のみをＯＦＦするとともに駆動モータ５を再起動してパルセータ４を間欠回転させバランス動作（布の偏り均一化）を開始する。このバランス動作の実行期間中、給水弁１３のＯＮ続行によって水槽２内の水量は徐々に増加して洗剤濃度が徐々に希釈されるとともにパルセータ４の回転に基づいて水槽２内の洗濯物が解され、固まっていた洗濯物が水槽２内全体に分散してバランスが取れた状態になって行く。
【００２９】
そして、タイマ１６ｄの経時動作に基づいて時間ｔ３になると、バランス動作終了のタイミングとなり、上記駆動回路３２が再度動作して上記排水弁９をＯＮするとともに駆動モータ５を停止してパルセータ４の回転を止める。その後、時間ｔ４において、給水弁１３をＯＦＦして給水を終了し、更に水槽２内に水が無くなったこと（排水終了）を検知したタイミングの時間ｔ５において、駆動回路３２の作動により、減速切換クラッチ７を脱水状態に切り替えるとともに駆動モータ５を再度ＯＮして洗濯兼脱水槽３とパルセータ４を同時回転させ脱水動作を実行する。
【図面の簡単な説明】
【００３０】
【図１】本発明にかかる全自動洗濯機の実施の形態を示す側面断面図である。
【図２】本発明にかかる全自動洗濯機における電気的回路図である。
【図３】本発明にかかる全自動洗濯機における表示部を示す図である。
【図４】本発明にかかる全自動洗濯機において給水量能力に基づいたなじませ運転を行う動作を示すフローチャートである。
【図５】本発明にかかる全自動洗濯機において短時間コースの動作を示すフローチャートである。
【図６】本発明にかかる全自動洗濯機において洗濯物の均一化を実行する動作の説明に供された図である。
【符号の説明】
【００３１】
１    外槽
２    水槽
３    洗濯兼脱水槽
４    パルセータ
５    駆動モータ
９    排水弁
１３    給水弁
１６    ＣＰＵ
２６    表示回路
３２    駆動回路
３４    １０分コース選択スイッチ
３５    洗剤量表示部
【図１】
2005118602.tif 000003
【図２】
2005118602.tif 000004
【図３】
2005118602.tif 000005
【図４】
2005118602.tif 000006
【図５】
2005118602.tif 000007
【図６】
2005118602.tif 000008